(57)【特許請求の範囲】
【請求項１】
基本構成単位となる単位脚、単位梁、及び単位天板を備え、これらの基本構成単位を組み合わせることによって、構造体としての強度を確保しつつ単独の片面デスク、両面デスク又はこれらの横連結デスクを選択的に構成可能とするとともに、何れかの形態から他の何れかの形態への変更を基本構成単位の加除を通じて行い得るようにしており、
単位脚は、それを構成する脚支柱の後部に設けられ、脚支柱の厚みに略対応した突起状の脚側関連部を備え、
単位梁は、強度メンバとして機能するものであり、その長手方向両端に、脚側関連部と係り合うように開口する梁側関連部を備えており、
２つの単位梁の梁側関連部を単位脚の脚側関連部に半分ずつ係り合わせて連結する態様である半係合状態と、１つの単位梁の長手方向一端の梁側関連部を単位脚の脚側関連部全体に深く係り合わせる態様である全係合状態とを採り得るようにすることで、単位梁と単位脚との係り合い位置を巾方向に沿って可変としており、
梁側関連部と脚側関連部とを係り合わせることにより、単位梁に一対の単位脚の後部間を接続し、当該単位脚間に単位天板を架け渡すことによって、強度のある構造体を構成するとともに、横連結の形態においては、中間に配置される単位脚が、半係合状態でその左右の単位梁を連結する連結部材としての役割を担うことを特徴とするデスクシステム。
【請求項２】
単位脚が、単位天板の反使用縁近傍に接地部を有する脚支柱及びこの脚支柱から略水平に延びるステーを備えたものであり、これら脚支柱及びステーの入隅部の前方を、単位脚がない位置での天板下の下肢空間ともどもワゴンを挿入可能な下肢空間として利用可能としている請求項１記載のデスクシステム。
【請求項３】
横連結の形態においては、中間に配置される単位脚で左右の単位天板の縁部を同時に支持するようにしている請求項１又は２記載のデスクシステム。
【請求項４】
単位脚を背合わせに配置して両面デスクを構成する際、単位梁同士を背合わせに重合させるようにしている請求項１〜３のいずれかに記載のデスクシステム。
【請求項５】
単位梁の上面が単位脚の上面よりも低位置に設定され、単位脚同士を単位梁を介して背合わせに配置し、それらの単位脚に支持させた単位天板の反使用縁間に隙間が形成される際に、単位脚の後面と単位梁の上面との間に前記隙間に通ずる横配線空間が形成されるようにしている請求項４記載のデスクシステム。
【請求項６】
単位梁に直接又は間接に支持させた状態でオプションを着脱可能に配置できるようにしている請求項１〜５のいずれかに記載のデスクシステム。
【請求項７】
オプションが、デスクトップパネルや幕パネル、パーティションパネル等のパネルである請求項６記載のデスクシステム。
【請求項８】
パネルに、更に棚やサイドパネル等のオプション部材を取り付けるためのオプション取付部を備えている請求項７記載のデスクシステム。
【請求項９】
単位天板に、矩形天板と異形天板とが含まれ、何れの天板も共通の単位梁及び単位脚に組み付けることが可能とされている請求項１〜８のいずれかに記載のデスクシステム。
【請求項１０】
端部に位置する単位脚を少なくともその一部に含むようにして接地巾の広い端部脚を構成可能としている請求項１〜９のいずれかに記載のデスクシステム。
【請求項１１】
補助構成単位として端部脚構成体を備え、この端部脚構成体を単位脚に着脱可能に取り付けることによって、選択的に端部脚を構成し得るようにしている請求項１０記載のデスクシステム。
【発明の詳細な説明】
【技術分野】
【０００１】
本発明は、オフィス等における多種多様なレイアウト展開に柔軟に対応できるようにしたデスクシステムに関するものである。
【背景技術】
【０００２】
昨今のオフィスでは、業務形態や人数の変化に弾力的に対応できるように、デスクの増減連を行うことができるシステムを導入しているところが少なくない。特に、近似においてはフリーアドレス制を採用するオフィスが増えていることから、着座位置が弾力的に変更可能で、片側使いの作業領域や両面使いの作業領域も適宜構成できるようにしたものが望まれている。
【０００３】
このようなシステムとしては、例えば特許文献１に示すもの等を挙げることができる。このものは、バックフレームに前後から脚を取り付けて天板を支持するようにし、脚の位置が変更可能であって種々の天板巾に対応できるようにしている。脚には全てコの字形のものが用いられ、どの脚がエンドにきても安定接地可能となっている。天板面を増設する場合には、具体的な明示はないが、バックフレームを延長し、新たに脚を取り付けて天板を支持させれば可能であると見受けられる。
【特許文献１】特願２００４−３３７４５２号公報
【発明の開示】
【発明が解決しようとする課題】
【０００４】
しかしながら、かかる特許文献１のものは、両面使用の領域を独立した２つの単独の片面デスクに分離することはできず、また、全ての脚がエンド脚であり、中間脚の位置すなわち天板同士の隣接境界では下肢空間が奥行き方向に狭まるため、脚羽根と干渉してワゴンをその位置に挿入できない不都合や、ワーカーの足元が脚と干渉して執務の妨げになる不都合等が避けられないものとなる。さりとて、全てを接地巾の狭い中間脚で構成するとなると、端部にはそれのみにて自立し得る剛性の高いエンド脚が必要になり、増減連に伴い中間脚から端部脚となるとき、或いは端部脚が中間脚となるときに脚の取替えが不可欠のものとなる。
【０００５】
本発明は、このような課題に着目してなされたものであって、端部脚と中間脚とを逐一取り替えずにワゴンやワーカーの足を巾方向に沿って天板下の自由な位置に挿入できる状態を実現することに端を発して、横方向への増減連や、両面使用と片面使用の間の変更も含めて、高い自由度の下に多種多様なレイアウトを容易に実現できるようにした、全く新たなコンセプトに基づくデスクシステムを新たに提供することを目的としている。
【課題を解決するための手段】
【０００６】
本発明は、かかる目的を達成するために、次のような手段を講じたものである。
【０００７】
すなわち、本発明のデスクシステムは、基本構成単位となる単位脚、単位梁、及び単位天板を備え、これらの基本構成単位を組み合わせることによって、構造体としての強度を確保しつつ単独の片面デスク、両面デスク又はこれらの横連結デスクを選択的に構成可能とするとともに、何れかの形態から他の何れかの形態への変更を基本構成単位の加除を通じて行い得るようにしており、単位脚は、それを構成する脚支柱の後部に設けられ、脚支柱の厚みに略対応した突起状の脚側関連部を備え、単位梁は、強度メンバとして機能するものであり、その長手方向両端に、脚側関連部と係り合うように開口する梁側関連部を備えており、２つの単位梁の梁側関連部を単位脚の脚側関連部に半分ずつ係り合わせて連結する態様である半係合状態と、１つの単位梁の長手方向一端の梁側関連部を単位脚の脚側関連部全体に深く係り合わせる態様である全係合状態とを採り得るようにすることで、単位梁と単位脚との係り合い位置を巾方向に沿って可変としており、梁側関連部と脚側関連部とを係り合わせることにより、単位梁に一対の単位脚の後部間を接続し、当該単位脚間に単位天板を架け渡すことによって、強度のある構造体を構成するとともに、横連結の形態においては、中間に配置される単位脚が、半係合状態でその左右の単位梁を連結する連結部材としての役割を担うことを特徴とする。
【０００８】
このようにすれば、必要最小限の部品点数で横連結のみならず片面使い、両面使いの選択も含めて多種多様なレイアウトを有効に実現することができ、またそのレイアウト変更にも基本的に共通部品の加除のみによって容易に対応することが可能となる。
【０００９】
また、単位梁が、強度メンバとして機能するものであり、単位梁に一対の単位脚の後部間を接続し、当該単位脚間に単位天板を架け渡すことによって強度のある構造体を構成するようにしているので、システムの外観を極力損なわずに、横連結や対面配置など種々の展開を容易にすることができる。
【００１０】
また、中間に配置される単位脚が半係合状態でその左右の単位梁を連結する連結部材としての役割を担うように構成することによって、横連結の形態を適切に実現することができる。
【００１１】
また、単位梁と単位脚との係り合い位置が巾方向に沿って可変であり、２つの単位梁の梁側関連部を単位脚の脚側関連部に半分ずつ係り合わせて連結する態様である半係合状態のほか、１つの単位梁の長手方向一端の梁側関連部を単位脚の脚側関連部全体に深く係り合わせる態様である全係合状態をも採り得るようにしていることによって、単体デスクから連結デスクへの変更、連結デスクから単体デスクへの変更等により弾力的に対応することができる。
なお、本明細書に言う片面デスクとは、利用者が天板の一方の縁部側にのみ位置して天板面を利用できる形態のデスクを言い、両面デスクとは、利用者が天板の対向する縁部に同時に位置して対面状態で天板面を利用できる形態のデスクを言う。また、横連結デスクとは、デスク同士を天板巾方向に連結して天板面を拡張した形態のデスクを言う。
【００１２】
また、巾方向に沿ってワゴン等を天板下の自由な位置に挿入できる状態を有効に実現するためには、単位脚が、単位天板の反使用縁近傍に接地部を有する脚支柱及びこの脚支柱から略水平に延びるステーを備えたものであり、これら脚支柱及びステーの入隅部の前方を、単位脚がない位置での天板下の下肢空間ともどもワゴンを挿入可能な下肢空間として利用可能としていることが好ましい。
また、横連結の形態を適切に実現するためには、中間に配置される単位脚で左右の単位天板の縁部を同時に支持するように構成しておくことが効果的である。
【００１３】
単位脚を背合わせに配置して両面デスクを構成する場合には、単位梁同士を背合わせに重合させるようにしておくことが望ましい。
【００１４】
この場合、単位梁が横配線機能を妨げないようにするためには、単位梁の上面が単位脚の上面よりも低位置に設定され、単位脚同士を単位梁を介して背合わせに配置し、それらの単位脚に支持させた単位天板の反使用縁間に隙間が形成される際に、単位脚の後面と単位梁の上面との間に前記隙間に通ずる横配線空間が形成されるようにしておくことが好都合である。
【００１５】
より多様なレイアウト展開のためには、単位梁に直接又は間接に支持させた状態でオプションを着脱可能に配置できるようにしておくことが好適である。
【００１６】
そのオプションの好適な実施の態様としては、デスクトップパネルや幕パネル、パーティションパネル等のパネルが挙げられる。
【００１７】
そのパネルには、更に棚やサイドパネル等のオプション部材を取り付けるためのオプション取付部を備えていることが有効である。
【００１８】
上記と同様、より多様なレイアウト展開のためには、単位天板に、矩形天板と異形天板とが含まれ、何れの天板も共通の単位梁及び単位脚に組み付けることが可能とされているものも有効である。
【００１９】
端部に位置する単位脚を利用してデスクの接地状態を安定ならしめるためには、当該単位脚を少なくともその一部に含むようにして接地巾の広い端部脚を構成可能としておくことが好ましく、特に、補助構成単位として端部脚構成体を備え、この端部脚構成体を単位脚に着脱可能に取り付けることによって、選択的に端部脚を構成し得るようにしておくことが便利である。
【発明の効果】
【００２０】
本発明は、以上説明した構成であるから、僅かな種類の構成単位を用いるだけで、単独の片面デスク、両面デスク、連結デスクなどをフレキシブルに組み替えが可能となり、これにより種々多様なレイアウト設定あるいはレイアウト変更に容易に対応することができるようにした優れたデスクシステムを提供することが可能となる。
【発明を実施するための最良の形態】
【００２１】
以下、本発明の一実施形態を、図面を参照して説明する。
【００２２】
この実施形態のデスクシステムは、図１に示すように、基本構成単位となる単位脚１、当該単位脚１の後部間を連結する単位梁２、及び単位天板３を備え、これらの基本構成単位を組み合わせることによって、単位梁２を中心に構造体としての強度を確保しつつ、図２に示す単独の片面デスクＡ、図３に示す両面デスクＢ、図４及び図５に示すこれらの横連結デスクＣ、Ｄ、更には図６に示す異形デスクＥ等を選択的に構成可能としたものである。そして、何れかの形態から他の何れかの形態へのレイアウト変更も、基本構成単位の加除を通じて容易かつ自在に行い得るようにしている。
【００２３】
具体的に説明すると、図１に示すように単位脚１は、脚支柱１１の上端部にステー１２を連設した逆Ｌ字状のもので、後面に単位梁２を係り合わせるための脚側関連部１３を設けている。この脚側関連部１３は、本実施形態の場合、単位脚１の脚支柱１１の厚みに略対応する厚みを有した突起状のものである。
【００２４】
一方、単位梁２は、天板３の巾寸法に略対応する巾寸法を有した板状のもので、構造体の剛性を確保するための強度メンバとしての強度が付与されており、両端部に単位脚１の脚側関連部１３と係り合う梁側関連部２１を有している。この梁側関連部２１は、本実施形態の場合、側端面に開口する切欠凹状のものであり、この単位梁２の厚みと前記単位脚１の突起状の脚側関連部１３の突出寸法とを略対応させている。単位梁２は強度が確保されれば棒状のもの等であってもよい。
【００２５】
そして、これら単位脚１の脚側関連部１３と単位梁２の梁側関連部２１とをどの程度深く係り合わせるかによって、単位梁２に対する単位脚１の係合位置を巾方向に可変としている。すなわち、例えば図４の中央に配置される単位脚１や図５の各部に示される単位脚１のように、中間に位置して左右の単位梁２を連結する役割をなす場合等には、左右の単位梁２の梁側関連部２１を単位脚１の脚側関連部１３に半分ずつ係り合わせる態様（以下、半係合状態と称する）をとることができ、また、図２や図３の各部、或いは図４のように端部に配置される単位脚１において単位梁２の端面２ａと当該単位脚１の側面１ａとをほぼ面一に揃えたい場合等には、梁側関連部２１を脚側関連部１３全体を呑み込むように深く係り合わせる態様（以下、全係合状態と称する）をとることもできるようにしている。
【００２６】
また、単位天板３の巾寸法は上述したように単位梁２の巾寸法に略対応しているため、単位梁２と単位脚１とが半係合状態で係り合うときには、図７（ａ）に示すようにその上に載せ置いた単位天板３の側縁部３ａは単位脚１のステー１２上、巾方向の片半部の領域ｄに支持されることになり、このとき他半部の領域ｄ´には同図のように隣接する単位天板３の側縁部が支持されるか、或いは同図（ｂ）に示すようにその他半部に図５に基づいて後述する補助構成単位である端部パネル４ｄ等を一部被るように（つまり端部パネル４ｄの内面に凹設した受容部４０に単位脚１の幅方向他半部を挿入するように）取り付けることもできるようにしている。或いは、単位梁２と単位脚１とが全係合状態で係り合うときには、図７（ｃ）に示すように単位脚１のステー１２上、巾方向の全域ｄ＋ｄ´に単位天板３の側縁部が支持されて、単位天板３の側端面３ａと単位脚１の側面１ａとが略面一に揃う関係となるため、図２〜図４等に示すように補助構成単位である端部パネル４ａ、４ｆ、４ｂ、４ｃを、受容部等を設けずに添設させることもできるようにしている。
【００２７】
一方、図３及び図５等に示す両面デスクＢ，Ｄを構成する際には、単位梁２，２同士を背合わせに重合させ、これに伴い単位脚１を背合わせに配置する。この場合、単位梁２，２同士は適宜の手段によって連結される。そして、背合わせにしたそれぞれの位置で左右一対の単位脚１のステー１２，１２間に単位天板３を支持させ、２枚の単位天板３によって対面使用可能な両面デスクＢ，Ｄを構成するようにしている。この実施形態の場合、図５に示すように、単位梁２の上面２ｃは組み付け状態で単位脚１のステー１２の上面１２ｂよりも低位に位置するように設定してあり、単位脚１，１同士を単位梁２を介して背合わせに配置し、それらに単位天板３を支持させることにより単位天板３の反使用縁３ｃ、３ｃ間に隙間δが形成された際に、単位脚１の後面１ｃと単位梁２の上面２ｃとの間に前記隙間δに連通する横配線空間δ´が形成されるようになっている。
【００２８】
なお、以上において、単位天板３には矩形状のもの以外に図６に示す異形状の単位天板３´が含まれ、この異形状の単位天板３´も前記矩形状の単位天板３と同じ単位梁２及び単位脚１に組み付けられる。なお、同図のデスクも対面使用可能な点で本発明の両面デスクを構成しており、この状態から両単位天板３´を分離すれば片面デスクとすることができ、逆に空いている部分に更に異形状の単位天板３´を補完すれば横方向に連結された横連結デスクも容易に構成することができる。
【００２９】
また、図５等に示すように、単位脚１のステー１２上に単位天板３を載せ置いた際、単位脚１の脚支柱１１の接地部１１ａは単位天板３の反使用縁３ｃ近傍に接地し、またステー１２は比較的薄肉に構成されて当該ステー１２の下面から床Ｆまでの距離Ｌが十分に確保してある。このため、その脚支柱１１とステー１２との入隅部分の前方に、単位脚１が存在しない位置での天板３の下肢空間ＳとともにワゴンＷを挿入可能な下肢空間Ｓ´が形成され、これらの下肢空Ｓ、Ｓ´間が、単位脚１を介して単位天板３を横連結した際に横方向に連続するようになっている。
【００３０】
ところで、前述した補助構成単位としては、図５に示したパネル脚４ｄ以外に、図２に示すコの字脚４ａや脚羽根４ｆのみ、或いは図３に示すようなコの字脚を背合わせに一体化したＨ脚４ｂ、図４に示すような半巾パネル脚４ｃなどを利用可能としている。これらの補助構成単位も、単位脚１が前述した単位梁２との関係で図５に示したような半係合状態にあるときには、図７（ｂ）に示したように内面に単位脚１の厚み方向片半部を受容する凹部４０を設けて単位脚１のうち開放された片半部の領域ｄ´を受容するように、換言すれば単位脚１の半部に被るように当該単位脚１に取り付ければよい。或いは、単位脚１が図２〜図４等に示した単位梁２との関係で全係合状態にあるときには、図７（ｃ）に示したように補助構成単位の単に平坦な内面を単位脚１の外面１ａに添接させるだけでよい。何れにせよ、本実施形態の単位脚１は、脚支柱１１が下肢空間Ｓ（Ｓ´）の奥方に接地する接地巾の狭いものであるため、端部に位置する際には、これら図７（ｂ）、（ｃ）に示したようにその単位脚１を一部に含むように補助構成単位を付加して接地巾の広い端部脚２０を構成するものとなっている。
【００３１】
図８は、両面使用領域Ｂの端部に片面使用領域Ａを一体に形成した状態を示すもので、それらの領域Ａ，Ｂの端部位置が異なるため、それぞれに端部パネル４ｅを取り付けるようにしている。
【００３２】
勿論、本発明の要旨とは異なるが、上記において単位脚１に代えて接地巾の広い専用の端部脚を一部において採用することを妨げるものではない。
【００３３】
さらに、この実施形態は、上記単位梁２が強度メンバであることを利用して、当該単位梁２に直接又は間接に支持させた状態で、図９に示すデスクトップパネル４や、図１０に示す幕パネル５、パーティションパネル６等のオプションを着脱可能に配置するようにしている。
【００３４】
先ず、図９は単体の片面デスクＡにデスクトップパネル４を取り付けた状態を示すもので、このようなデスクトップパネル４を取り付けるにあたり、単位梁１の上面には、図１等に示されるように幅方向２箇所に縦孔状の取付部２２が設けてある。そして、この取付部２２に、デスクトップパネル４の下面から突出させた支持杆４１を差し込むことによって、デスクトップパネル４を単位梁２に支持させた状態で単位天板３の反使用縁３ｃ側に配置することができるようにしている。図３の両面使用状態においては単位梁２は二重に重合されるため、何れか一方の単位梁２の取付部２２にデスクトップパネル４を取り付ければ、他方の単位梁２の上方において横配線空間δ´は有効に確保されることになる。このようなデスクトップパネル４は、図４に示す片面使用の横連結デスクＣにおいても、図５に示す両面使用の横連結デスクＤにおいても採用することができる。
【００３５】
また、図１０は単体の片面デスクＡに幕パネル５を取り付け、更にその幕パネル５の上に積み上げるようにしてパーティションパネル６を取り付けた例を示すもので、幕パネル５は単位梁２の背面に被せるようにして、単位天板３の反使用縁３ｃ側の下肢空間Ｓを覆う位置に適宜の手段によって取り付けられる。そして、上縁近傍の裏面に水平方向に延びる溝状のオプション取付部５１を更に設けている。また、パーティションパネル６は前記幕パネル６の上方に適宜の連結構造の下に連設されて執務スペースを間仕切るもので、このパーティションパネル６の上縁近傍の表裏面にも水平方向に延びる溝状のオプション取付部６１を更に設けている。すなわち、幕パネル５はオプションとして単位梁２に直接取り付けられ、パーティションパネル６は幕パネル５を介し単位梁２にオプションとして間接的に取り付けられているもので、これらのパネル５，６に更に設けられたオプション取付部５１，６１を利用して、図１１に示すように幕パネル５に直交させた状態でオプション部材としてサイドパネル７を配置したり、パーティションパネル６の前面にオプション部材として収納棚８を配置する等、様々の態様に展開することができるようにしている。また、単位梁２に直接又は間接に取り付けるオプションはパネルに限らず、電話台やライト、棚など他の種類のオプションも適宜の態様で取り付けることができる。
【００３６】
特に図１１においては複雑なシステムデスクが構成されているが、基本的には上記単位梁２、単位脚１及び単位天板３´（この場合は異形のもの）などの基本構成単位を組み合わせ、必要に応じて補助単位要素等を付加したに過ぎないものである。
【００３７】
なお、図１２に示すように、両面デスクＢが横連結されている場合には、図７（ａ）に示したように、隣接する単位天板３の側縁部３ａはそれぞれ単位脚１のステー１２上、巾方向の片半部の領域ｄ、ｄ´に支持された状態にあるため、中央に位置する両面デスクＢを構成する一対の単位天板３の一方を簡単に中抜きして、開放空間ＳＰを有するレイアウトにも容易に変更することができる。その開放空間ＳＰには、図８と同様に端部パネル４ｅを取り付けてもよい。そして、その開放空間ＳＰを利用して執務スペースの一部にコピーコーナーを設置するなど、更にバリエーションに富んだレイアウトにも容易に展開することが可能となる。
【００３８】
以上のように、この実施形態のデスクシステムは、基本構成単位となる単位脚１、単位梁２、及び単位天板３を備え、これらの基本構成単位を組み合わせることによって、構造体としての強度を確保しつつ、図２に示すような単独の片面デスクＡ、図３に示すような両面デスクＢ又は図４や図５に示すようなこれらの横連結デスクＣ、Ｄを選択的に構成可能としているものであり、かつ、何れかの形態から他の何れかの形態への変更も、単位脚１や単位梁２、単位天板３などの基本構成単位の加除を通じて行い得るようにしたものである。
【００３９】
このようにすれば、必要最小限の部品点数で片面使い、両面使い、横連結を組み合わせた多種多様なレイアウトを有効に実現することができ、またそのレイアウト変更にも基本的に共通部品である上記基本構成単位の加除のみによって容易に対応することが可能となる。
【００４０】
また、単位脚１が、単位天板３の反使用縁３ｃ近傍に接地部１１ａを有する脚支柱１１及びこの脚支柱１１から略水平に延びるステー１２を備えたものであり、これら脚支柱１１及びステー１２の入隅部の前方を、単位脚１が存在しない位置での天板下の下肢空間ＳともどもワゴンＷを挿入可能な下肢空間Ｓ´として利用可能としているため、横連結した際に単位天板３の境界すなわち、単位脚１が中間脚として存在する位置においても下肢空間Ｓ、Ｓ´の連続性が確保されることになり、フリーアドレス制などに有効に対応することが可能となる。
【００４１】
特に、単位梁２が、強度メンバとして機能する板状のものであり、この単位梁２に一対の単位脚１，１の後部間を接続し、当該単位脚１、１間に単位天板３を架け渡すことによって、強度のある構造体を構成するようにしており、このような位置に単位梁２が存することによって、強度メンバとして機能し得る程度の剛性を単位梁２に確保しても外観への影響は少ないものにすることができる。そして、このように単位梁２を主体として構造体を構成することによって、横連結や対面配置などの展開を単位梁ベースで有効に実現することができ、更にはパネル４，５，６やオプション部材７，８等を支持させる場所としても有効に活用することができる。
【００４２】
また、横連結の形態においては、中間に配置される単位脚１が左右の単位梁２，２を連結する連結部材としての役割を担うようにしているため、単位梁２，２同士を連結するための特段の連結部材を不要にすることができる。
【００４３】
或いは、横連結の形態においては、中間に配置される単位脚１で左右の単位天板３の縁部を同時に支持するようにしているので、単位脚１が中間に配置される際、単位天板３，３の境界で脚がダブって嵩張ることを有効に回避することができる。
【００４４】
また、単位梁２と単位脚１との係り合い位置が巾方向に沿って可変であり、２つの単位梁２，２を単位脚１に半分ずつ係り合わせて連結する態様のほか、１つの単位梁２を単位脚１に深く係り合わせる態様をも採り得るようにしているので、単位脚１が横連結デスクの中間に位置する場合に適切に対応できるほか、端部に位置する場合など単位梁２の端面２ｃと単位脚１の外面１ｃとを揃えなければならない事情がある場合等にも弾力的に対応することができ、これにより図２に示すような単体デスクＡから図４に示すような連結デスクＣへの変更、或いはこれとは逆の変更、更には図３に示すような一連両面デスクＢから図５に示すような両面連結デスクＤへの変更、あるいはこれとは逆の変更等も容易に行うことができる。
【００４５】
さらに、単位脚１、１を背合わせに配置して図３に示す両面デスクＢ等を構成する際、単位梁２，２同士を背合わせに重合させるようにしているので、強度メンバとして機能する単位梁２が重複することにはなるものの、位置的には反使用縁であるため下肢空間Ｓへの影響は少なく、むしろ強度確保を図る上で有効であるばかりか、単位梁２，２同士の分離も容易となるため、図３に示す両面使いから図２に示す片面使いへのデスクの分離にも簡単に対応できるものとなる。
【００４６】
また、図５に示したように、単位梁２の上面２ｃが単位脚１の上面１２ｂよりも低位置に設定され、単位脚１，１同士を単位梁２を介して背合わせに配置し、それらの単位脚１に支持させた単位天板３の反使用縁３ｃ、３ｃ間に隙間δが形成される際に、単位脚１の後面１ｃと単位梁２の上面２ｃとの間に前記隙間δに通ずる横配線空間δ´が形成されるようにしているので、このような単位梁２が存在しても、連結デスクの横配線機能を有効に確保することができる。
【００４７】
以上に加えて、この実施形態は、単位梁２に直接又は間接に支持させた状態でデスクトップパネル４，幕パネル５，パーティションパネル６等のオプションを着脱可能に配置できるようにしている点は、単位梁２を基調としてレイアウトを展開するという本発明のコンセプトの一つを有効利用し得ている例である。
【００４８】
特に、オプションに、デスクトップパネルや幕パネル、パーティションパネル等の比較的重量のあるパネルを採用できているのは、単位梁２が強度メンバであって構造上のベースになり得ているからこそである。勿論、単位梁２にパネル以外のオプションを取り付けることができるのは言うまでもない。
【００４９】
また、パネル５，６に、更にオプション取付部５１、６１を備え、これらのオプション取付部５１，６１にサイドパネル７や棚８等のオプション部材を取り付け得るようにしている点も、単位梁２の強度を利用して展開できる構造と言えるものである。この場合もオプション取付部には他の適宜の態様を採用することができ、これに取り付けるオプション部材も上記に限定されるものではない。
【００５０】
そして、本実施形態の単位天板３には、矩形天板３と異形天板３´とが含まれ、これらの天板３、３´の何れも共通の単位梁２及び単位脚１に組み付けることができるようにしているので、天板３のみを替えれば図２に示したような矩形デスクや図６、図１１に示したような異形デスクを簡易に構成することができ、また、このように支持構造が共通であることから、図１３に示すように矩形天板３と異形天板３´とが連なるような態様も容易に実現することができる。
【００５１】
また、端部に位置する単位脚１を少なくともその一部に含むようにして接地巾の広い端部脚２０を構成可能としており、中間脚を端部脚に取り替えるといった煩雑さを伴わずに済むので、単位脚１を中間脚として機能させ、あるいは端部脚として機能させる態様を容易に切り替えつつ、下肢空間Ｓの確保とデスクの接地状態の安定化とを両立させることができる。
【００５２】
この場合、補助構成単位として各種形態の脚４ａ〜４ｄ等を備え、これらの脚４ａ〜４ｄ端部脚構成体を単位脚１に着脱可能に取り付けることによって、選択的に端部脚４０を構成し得るようにしているので、増減連時にはこのような補助構成単位の着脱のみによって単位脚１の機能を中間脚から端部脚へ、端部脚から中間脚へ容易に切り替えることが可能となる。
【００５３】
なお、各部の具体的な構成は、上述した実施形態のみに限定されるものではなく、本発明の趣旨を逸脱しない範囲で種々変形が可能である。また、本発明のデスクの概念には、いわゆるテーブルと称されるものも勿論含まれるものである。
【図面の簡単な説明】
【００５４】
【図１】本発明の一実施形態を構成する基本構成単位を示す分解斜視図。
【図２】同実施形態において構成される単体デスクの斜視図。
【図３】同実施形態において構成される両面デスクの斜視図。
【図４】同実施形態において構成される片面横連結デスクの斜視図。
【図５】同実施形態において構成される両面横連結デスクの斜視図。
【図６】同実施形態において構成される異形天板を用いたデスクの斜視図。
【図７】同実施形態において梁と脚の関係を示す模式図。
【図８】同実施形態において構成される他の連結態様を示す斜視図。
【図９】同実施形態において用いられるデスクトップパネルの取付状態を示す斜視図。
【図１０】同実施形態において取り付けられる他のパネルの取付状態を示す斜視図。
【図１１】同実施形態における上記以外のレイアウト展開例を示す斜視図。
【図１２】同実施形態における他のレイアウト変更例を示す斜視図。
【図１３】同実施形態における上記以外のレイアウト展開例を示す斜視図。
【符号の説明】
【００５５】
１…単位脚
２…単位梁
３、３´…単位天板
４…デスクトップパネル
５…幕パネル
６…パーティションパネル
７…オプション部材（サイドパネル）
８…オプション部材（棚）
１１…脚支柱
１１ａ…接地部
１２…ステー
Ａ…片面デスク
Ｂ…両面デスク
Ｃ、Ｄ…連結デスク
Ｓ、Ｓ´…下肢空間
Ｗ…ワゴン
δ…反使用縁間の隙間
δ´…横配線空間
【図１】
0005246641.tif 000002
【図２】
0005246641.tif 000003
【図３】
0005246641.tif 000004
【図４】
0005246641.tif 000005
【図５】
0005246641.tif 000006
【図６】
0005246641.tif 000007
【図７】
0005246641.tif 000008
【図８】
0005246641.tif 000009
【図９】
0005246641.tif 000010
【図１０】
0005246641.tif 000011
【図１１】
0005246641.tif 000012
【図１２】
0005246641.tif 000013
【図１３】
0005246641.tif 000014